(57)【特許請求の範囲】
【請求項１】
ユーザの指示を入力する入力手段と、
現在位置を検出する位置検出手段と、
少なくとも地図データを記録する記憶媒体と、
外部の情報ネットワークと無線により通信して情報の取得を行う通信手段と、
前記通信手段が取得した情報を記憶する記憶手段と、
前記記憶媒体に記憶された地図データおよび前記通信手段が取得した情報を表示する表示手段と、
地域とその地域において取得すべき情報の種別およびその種別の情報を自動取得するか確認後取得するかの情報を設定情報として記憶する設定情報記憶手段と、
これら複数の手段を制御する制御手段とを具備し、
前記制御手段は、
前記位置検出手段が検出した現在位置が、前記設定情報記憶手段に記憶された一の地域の近くであると判定した場合に、この一の地域について、
前記設定情報記憶手段に記憶された設定情報のうち自動取得することが設定された情報の種別については、前記通信手段に情報を取得させ、
前記設定情報記憶手段に記憶された設定情報のうち確認後取得することが設定された情報の種別については、確認後取得することが設定された情報の概要を含む情報メニューを前記表示手段に表示させ、前記表示手段に表示された情報メニューの中から前記入力手段により選定した種別の情報を前記通信手段に取得させることを特徴とする通信型ナビゲーション装置。
【請求項２】
前記制御手段は、
前記位置検出手段が検出した現在位置が、前記設定情報記憶手段に記憶された一の地域の近くであると判定した場合に、この一の地域について、
前記設定情報記憶手段が記憶する設定情報のうちすべての情報の種別について自動取得することも確認後取得することも設定されていない場合、
取得可能な情報の種別の概要を含む情報メニューを前記表示手段に表示させ、前記表示手段に表示された情報メニューの中から前記入力手段により選定した種別の情報を前記通信手段に取得させることを特徴とする請求項１記載の通信型ナビゲーション装置。
【請求項３】
前記制御手段は、前記記憶媒体から読み出した地図データ、前記位置検出手段が検出した現在位置、および、前記設定情報記憶手段に記憶された一の地域に基づいて、前記位置検出手段が検出した現在位置が、前記設定情報記憶手段に記憶された一の地域の近くであるか否かを検出することを特徴とする請求項１記載の通信型ナビゲーション装置。
【請求項４】
前記位置検出手段が検出した現在位置が前記設定情報記憶手段に記憶された一の地域の近くであるか否かの判定を、地域の情報提供センターの無線信号を前記通信手段が受信したことにより、前記制御手段が行うことを特徴とする請求項１記載の通信型ナビゲーション装置。
【請求項５】
前記位置検出手段が検出した現在位置に代えて、前記入力手段により指定された位置が前記設定情報記憶手段に記憶された一の地域の近くであるか否かの判定を、前記制御手段が行うことを特徴とする請求項１記載の通信型ナビゲーション装置。
【請求項６】
前記設定情報記憶手段に、取得すべき情報の種別に加えて取得すべき時刻範囲が設定されることを特徴とする請求項１記載の通信型ナビゲーション装置。
【請求項７】
前記制御手段は、前記通信手段に取得可能な情報の種別を地域の情報センターから取得させ、前記表示手段に表示させることを特徴とする請求項１記載の通信型ナビゲーション装置。
【請求項８】
前記設定情報記憶手段に設定情報を記憶させる際に、前記制御手段は、取得可能な情報の種別の概要を含む情報メニューと情報取得の方式を前記表示手段に表示させ、前記表示手段に表示された情報メニューの中から前記入力手段により選択された情報の種別と情報取得の方式とを前記設定情報記憶手段に設定情報として記憶させることを特徴とする請求項１記載の通信型ナビゲーション装置。
【請求項９】
前記制御手段は、前記通信手段が取得した情報の中で自動車の走行に関連しない情報を、運転手以外の同乗者がいない場合には、停車中にのみ前記表示手段に表示させることを特徴とする請求項１記載の通信型ナビゲーション装置。
【発明の詳細な説明】
【０００１】
【発明の属する技術分野】
本発明は、通信により情報を取得する通信型ナビゲーション装置に関するものである。
【０００２】
【従来の技術】
自動車用ナビゲーション装置に車外の道路交通情報や他のさまざまの情報をリアルタイムで取得できるような技術が開発されてきている。また、携帯電話機・ＰＨＳ電話機の画面に情報を取得して表示する情報提供サービスも行われている。
【０００３】
これらの装置において、情報を取得するための情報源としては、一般的には次の３種がある。
【０００４】
インターネット上の各種の膨大な情報源である「ホームページ」
上記の各種の膨大な情報源であるホームページより、ナビゲーション向きの情報を選択し、ナビゲーション装置向きの表示方法に加工したり、位置や時刻による検索方法などに工夫を加えて、新たなホームページとして情報を提供する「情報サービスセンター」、および、複数の「情報サービスセンター」を総括管理する「情報サービス管理センター」、ナビゲーション向きの情報を収集して、インターネットとは異なる専用のフォーマットやプロトコルで提供する「情報提供センター」、以下、これらの情報源を合わせて「情報センター」と総称する。また、現地点または指定された地域の情報を取得するための情報源を「地域の情報センター」と呼ぶことにする。
【０００５】
なお、この地域とは、実際に「情報センター」が存在する地域を云うのではなく、「情報センター」が提供する情報の対象となる地域のことをいう。しかしながら、通常は、対象地域に近いところに「情報センター」がある方が、通信の効率やネットワークの利用度が良いことは云うまでもない。
【０００６】
従来の技術としては、例えば、特開平９−１５３０５４「情報検索・発信端末装置および検索サーバ」においては、情報ネットワークにおける多くの情報の中より移動局に役立つ情報を選択するために、移動局のセンサ機能で検知した位置情報などに基づいて、情報の検索を行ったり、移動局または移動局に情報を送信するサーバにおいて、情報の取捨選択を行う技術が開示されている。また、特開平９−１６６４５０「ナビゲーション装置」においては、移動局にブラウザを搭載して、インターネットを含む情報サービス網上の情報（観光情報・渋滞情報・規制情報・地図データ等）にアクセスする技術が開示されており、特開平１０−１０３９７７「通信機能付カーナビゲーション装置およびその通信方法」においては、カーナビゲーション装置内にインターネット上の地域に関する情報について、それぞれの情報の位置データとＷＷＷサーバのＵＲＬアドレスとの対応テーブルを持ち、現在位置データに基づいて対応するＷＷＷサーバの情報を取得する技術が開示されている。更に、特開平１０−１６１５３４「車載ナビゲーションシステムにおける情報入手装置」においては、ナビゲーション装置の現在地点もしくは指定した地点（目的地、経由地、誘導経路など）の付近に関連付けられたURLアドレスを用いて、インターネットより自動的に最新の情報を入手する技術が開示されている。
【０００７】
一方、特開平１１−１３４５９５「ナビゲーション装置」においては、移動局が指定した地点情報（目的地、経由地、誘導経路など）に基づいて、前記の情報提供センターに相当する基地局が指定地点付近の情報（実時間画像を含む）をインターネットのような情報ネットワーク上で検索・取得して、移動局に伝送する技術が開示されている。
【０００８】
上記の技術を採用した、従来の通信型ナビゲーション装置は、図５に示すブロック図のように構成されている。図５において、位置検出手段１２はＧＰＳ受信器、方位センサ、車速センサなどにより構成され、現在位置を検出して、装置全体の制御を行うＣＰＵ１１に伝送する。ＣＤ−ＲＯＭ、ＤＶＤ−ＲＯＭなどにより構成される読出し専用の大容量記憶手段１３には地図データ、情報センターデータベースなどが記録されている。通信手段１４は自動車電話、携帯電話、ＰＨＳ電話などの無線を用いて情報通信を行い、取得した情報は読み書き可能な記憶手段１５に記憶され、表示手段１６に前記地図データや各種情報と共に表示される。また、入力手段１７を介してユーザが装置に指示を与える。なお、前記の情報センターデータベースには、地域毎にアクセスできる情報の取得源である情報センターなどが記録されている。
【０００９】
動作を、図６のフローチャートにしたがって、図５を参照しながら説明する。
【００１０】
位置検出手段１２により検出される現在位置が、一定時間毎たとえば１秒ごとにＣＰＵ１１に伝送され、ＣＰＵ内の現在位置が更新される（Ｓ１）。ＣＰＵは、前記の読出し専用の大容量記憶手段１３内の情報センターデータベースを参照して、現在位置がいずれかの情報の対象地域の近く、すなわち、情報センターにアクセス可能な地域内にあるかどうかを判定する（Ｓ２）。現在位置が地域外の場合には、地域内になるまで、前のステップ（Ｓ１）に戻る。現在位置が地域内になった場合には、取得可能な情報がすでに取得して情報記憶手段１５に格納してあるものかどうかを判定し（Ｓ３）、取得していない場合のみ、通信手段１４を起動して当該情報センターに接続して、未取得の情報を新たに取得して情報記憶手段１５に格納する（Ｓ４）。そして、情報記憶手段１５に格納されている情報の表示を、表示手段１６を用いて行う（Ｓ５）。以上のようにして、移動に伴って自動的に情報取得することができる。
【００１１】
【発明が解決しようとする課題】
しかしながら、情報を提供する情報源である情報センターの数が更に増加し、また、提供される情報内容も多種多様となってきている。現在位置もしくは指定地点に基づいて、情報の選択・取得する方法については、上記のように色々な方法が開発されてきたが、同一地点に関する情報であっても、情報が多岐にわたり、それらの情報をすべて取得・表示して、その中よりユーザが必要な情報・好みの情報を的確に読み取ることは、煩雑となってきている。特に、自動車の運転中においては、所望の情報を操作性良く、簡易に取得することが困難である。
【００１２】
また、ユーザは、増えつづける情報源の中で、どのような情報源が有用であるかを常に調べる等してから、自ら能動的に情報を取得する動作を行わう必要があり、所望の情報を取得することは容易ではない。
【００１３】
【課題を解決するための手段】
この課題を解決するために、本発明に係る通信型ナビゲーション装置は、ユーザの指示を入力する入力手段と、現在位置を検出する位置検出手段と、少なくとも地図データを記録する記憶媒体と、外部の情報ネットワークと無線により通信して情報の取得を行う通信手段と、通信手段が取得した情報を記憶する記憶手段と、記憶媒体に記憶された地図データおよび通信手段が取得した情報を表示する表示手段と、地域とその地域において取得すべき情報の種別およびその種別の情報を自動取得するか確認後取得するかの情報を設定情報として記憶する設定情報記憶手段と、これら複数の手段を制御する制御手段とを具備し、制御手段は、位置検出手段が検出した現在位置が、設定情報記憶手段に記憶された一の地域の近くであると判定した場合に、この一の地域について、設定情報記憶手段に記憶された設定情報のうち自動取得することが設定された情報の種別については、通信手段に情報を取得させ、設定情報記憶手段に記憶された設定情報のうち確認後取得することが設定された情報の種別については、確認後取得することが設定された情報の概要を含む情報メニューを前記表示手段に表示させ、表示手段に表示された情報メニューの中から入力手段により選定した種別の情報を通信手段に取得させる構成を有している。
【００１４】
この構成により、予め地域ごとにその地域において取得すべき情報の種別を設定情報として記憶しておき、検知した現在位置が、前記の記憶させた設定情報内の地域に到達したことを判定して、設定した種別の情報を、自動的に、または、簡単な操作で取得する装置を実現することができる。
【００１７】
【発明の実施の形態】
以下、図面を参照して本発明における実施の形態１を詳細に説明する。
【００１８】
図１は本発明における実施の形態１の通信型ナビゲーション装置の構成図である。従来例を示す図５の構成図と対応するものには同一の符号を付してある。図１において、位置検出手段１２はＧＰＳ受信器、方位センサ、車速センサなどにより構成され、現在位置を検出して、装置全体の制御を行うＣＰＵ１１に伝送する。ＣＤ−ＲＯＭ、ＤＶＤ−ＲＯＭなどにより構成される読出し専用の大容量記憶手段１３には地図データ、情報センターデータベースなどが記録されている。通信手段１４は自動車電話、携帯電話、ＰＨＳ電話などの無線を用いて情報通信を行い、取得した情報は読み書き可能な記憶手段１５に記憶され、表示手段１６に前記地図データや各種情報と共に表示される。また、入力手段１７を介してユーザが装置に指示を与える。更に、読み書き可能な設定情報記憶手段１８は本発明の特徴である情報取得用の設定情報を記憶させるものである。なお、前記の情報センターデータベースには、地域毎にアクセスできる情報の取得源である情報センターや取得可能な情報の種別などが記録されている。
【００１９】
表１に情報取得用の設定情報の例を掲げる。
【００２０】
【表１】
0004122654.tif 000002
【００２１】
この設定情報における１行目の情報取得の方式の設定によって、本通信型ナビゲーション装置の現在位置がいずれかの情報の対象地域の近くかどうか、すなわち、地域の情報センターにアクセス可能な対象地域内に入った際に、以下の動作を行わせる。
【００２２】
▲１▼の自動取得が設定されている場合には、設定されている情報種別の情報をユーザの介入なしに自動的に取得する。この例では、取得可能な情報種別Ａ）〜Ｄ）の内より、情報種別のＡ）とＢ）とを選択的に自動取得する。
【００２３】
▲２▼の取得しないが設定されている場合には、現在位置が地域の情報センターにアクセス可能になった際にも情報取得のための何らの動作もしない。
【００２４】
▲３▼の設定なしの場合には、取得可能な情報種別Ａ）〜Ｄ）の情報の概要・対価などが記された情報メニューを表示して、ユーザの選択に基づいて情報の取得を行う。
【００２５】
図２は、本発明の実施の形態１のフローチャートである。図１の構成図および図３の画面例を参照しながら説明する。
【００２６】
位置検出手段１２により検出される現在位置が、一定時間毎たとえば１秒ごとにＣＰＵ１１に伝送され、ＣＰＵ内の現在位置が更新される（Ｓ１）。ＣＰＵは、前記の読出し専用の大容量記憶手段１３内の情報センターデータベースを参照して、現在位置がいずれかの情報の対象地域の近くかどうか、すなわち、情報センターにアクセス可能な地域内にあるかどうかを判定する（Ｓ２）。現在位置が地域外の場合には、地域内になるまで、前のステップ（Ｓ１）に戻る。現在位置が地域内になった場合、すなわち、図３の画面例Ｆ１の地図上の矢印位置になった場合には、設定情報記憶手段１８の設定情報を参照し（Ｓ３）、当該地域の情報取得の方式が表１の▲１▼自動取得の設定になっている場合はＳ６へ進み、▲２▼情報取得しないの設定になっている場合はＳ１へ戻り、▲３▼設定情報が存在しない場合はＳ４へ進む。
【００２７】
設定情報が存在しない場合には、前記の情報センターデータベースより、当該地域の情報サービスセンターから得られる情報のジャンル・概要などが記された情報メニューを読み込み、ディスプレイ上に表示すると共に、ユーザにそれぞれの情報を取得するか否かを問い合わせる表示を行う（Ｓ４）。例えば、図３の画面例Ｆ２のように表示する。ユーザは、例えば機器のボタンを押下する、画面上のボタンをタッチする、音声指示する等の入力手段１７により、それぞれの情報の取得を行うか行わないを選択する（Ｓ５）。いずれかの情報の取得を行う選択がなされた場合はＳ６へ進み、すべての情報の取得を行わない選択がなされた場合はＳ１へ戻る。なお、ユーザが一定時間、例えば１０秒間、全く選択を行わない場合には、すべての情報の取得を行わないものとしてＳ１へ戻る。
【００２８】
情報の取得を行う前に、取得すべき情報が既に情報記憶手段１５に格納されている取得済みの情報かどうか判定し（Ｓ６）、すべての情報が取得済みの場合にはＳ８へ進み、未取得の情報がある場合には、通信手段を介して、取得先の「情報センター」と合致したプロトコルや対応する情報のコードなどを用いて、実際に情報取得処理を行い、取得した情報は前記情報記憶手段１５に格納する（Ｓ７）。情報取得処理の中間表示の例が図３のＦ３に示してある。次いで、前記情報記憶手段１５に格納されている情報を表示手段１６を用いて表示する（Ｓ８）。更に、今回取得した情報を次回以降に自動的に取得するか否かをユーザに問い合わせる（Ｓ９）。問い合わせの画面例を図３のＦ４に示している。必要に応じて、情報取得のための設定情報を更新する（Ｓ１０）。例えば、表１の情報取得の方式の▲３▼「設定なし」を、情報種別Ａ）とＢ）の自動取得の設定に更新すれば、表１の▲１▼「自動設定」として更新され、取得を行わないの設定に更新すれば、同じく▲２▼「取得しない」として更新される。
【００２９】
以上に説明したように、本実施の形態１においては、予め設定情報の情報取得の方式を自動取得に設定しておくことにより、情報取得が可能な地域になれば、自動的に所望の情報が得られる。また、情報取得の方式を設定していない地域の場合でも、本実施の形態１の通信型ナビゲーション装置からの問合せにユーザが応じることによって、比較的容易な操作で所望の情報が取得できる。
【００３０】
なお、前記の設定情報は、地域毎に、表１のような表の形式で設定することもできるが、図２のフローチャートにおいて説明した設定情報の更新と同様の方法で、情報メニューを用いて設定することもできる。
【００３１】
また、自動取得の設定の場合には、時刻の範囲を同時に設定しておき、その時刻範囲のみ自動取得するようにすることもできる。たとえば、朝夕のラッシュ時には必ず渋滞情報を取得するとか、食事時間帯にはその地域のグルメ情報を取得することなどもできる。
【００３２】
次に、本発明の実施の形態２について説明する。
【００３３】
装置の構成は実施の形態１と全く同じ（図１）であるが、その処理と設定情報記憶手段に記憶される設定情報が異なっているものである。表２に実施の形態２における情報取得用の設定情報プログラムの例を掲げる。地域の情報センターへの接続と情報種別を別々に設定する方式であって、表２の第１行に掲げた設定地域である▲１▼出発地から▲５▼目的地までを順次自動車が移動する場合に、地域の情報センターへの接続の設定と情報種別の情報取得の方式の設定をそれぞれの列の対応欄に記号で表した設定情報プログラムの例である。
【００３４】
【表２】
0004122654.tif 000003
【００３５】
情報種別の欄で指定した情報種別が、取得情報の大分類であって更に分類して情報取得すべき場合もある。たとえば、Ｃ）のグルメ情報で、情報が多い場合には飲食物の種類や価格帯などで更に絞り込んだ情報種別が必要な場合もあるが、これらは従来の方法の組合せで達成できる。Ｄ）の観光情報も同様である。このようにして絞り込んだ最終的な情報種別や中分類的な情報種別を分類記号化などして設定情報とすることもできるが、ここでは、上記の情報種別について説明する。
【００３６】
また、この例では、Ａ）の走行情報は、たとえば、道路の通行規制情報や道路の渋滞情報や最短経路情報などで、同時に入手して地図データ上に色分け表示することができるものとする。Ｂ）の地図情報は地域の最新地図であり、Ｆ）のサービス情報には、駐車場情報やガソリンスタンド情報などが含まれているものとする。ここでの情報種別の分類や対応する記号は、情報提供する側の情報センターと情報センターデータベースとユーザが共通に認識できれば、どのようなものでも良く、本発明の本質を損なうものではない。
【００３７】
表２の設定情報プログラムの例をシナリオ的に説明する。
【００３８】
ここでは、出発地から経由地を通って目的地まで行く、走行予定区間を五つの地域に分けて、設定情報を設定している。
【００３９】
▲１▼出発地は、通常利用している地域であるので、道路状況も良く判っており、情報取得の必要は無いので、情報センターへの接続は行わない設定とする。
【００４０】
▲２▼出発地と経由地との間の地域は、道路状況は良く判っているが、念のため通行規制情報や道路の渋滞情報を得るため、情報センターへの接続を行い、Ａ）走行情報の自動取得を設定する。
【００４１】
▲３▼経由地は、ここを通るのは久しぶりなので、情報センターへの接続を行い、Ａ）走行情報の自動取得と共に、Ｂ）地図情報が新しくなっていれば更新したいし、新しいＤ）観光情報もあれば得ておきたいので、確認後取得の設定を行う。
【００４２】
▲４▼経由地との目的地間の地域では、初めての走行地域なので、Ａ）走行情報とＢ）地図情報の自動取得と共に、昼食時に掛かりそうなので、１１時３０分が過ぎたら、Ｃ）グルメ情報をチェックするため、確認後取得を設定する。
【００４３】
▲５▼目的地では、観光が目的なので、情報センターへの接続を行い、すべての情報を自動取得するに設定する。
【００４４】
以上のように、設定情報をプログラムの後、走行をはじめると、設定した地域に入ると共に、設定情報に基づいて、自動取得に設定した情報が画面表示される。確認後取得に設定した情報については取得の確認表示がなされ、ユーザの指示に従って、情報取得の有無の処理がされる。
【００４５】
なお、表２に設定した予定走行地域以外を走行する場合などで情報センターへの接続が設定されていない場合、および、確認後接続の設定がされている場合には、情報センターへのアクセス可能になった地点で利用者に接続の可否を問合せて実行する。接続を行う場合には、更に情報種別を示す情報メニューにより、取得情報の選択の後に情報を取得する。
【００４６】
図４に、実施の形態２の処理のフローチャートを示す。全般的な処理の流れは、図２の実施の形態１の処理のフローチャートと同じであるので、主として相違点を説明する。
【００４７】
ＣＰＵ内の現在位置が更新され（Ｓ１１）、現在位置がいずれかの情報の対象地域の近くかどうか、すなわち、情報センターにアクセス可能な地域内にあるかどうかを判定し（Ｓ１２）、現在位置が地域内の場合には、設定情報記憶手段１８の設定情報である、表２の２行目の情報センターへの接続の設定情報を判定する（Ｓ１３）。自動接続が設定されている場合はＳ２１へ進み、接続しないが設定されている場合はＳ１１へ戻り、設定情報が存在しないか確認後接続の場合はＳ１４へ進む。
【００４８】
自動接続が設定されている場合には、前記設定情報における情報種別の情報取得の方式を判定する（Ｓ２１）。前記の情報種別に自動取得が設定されていればＳ１６へ進み、確認後取得が設定されていればＳ１５へ進む。
【００４９】
設定情報が存在しないか確認後接続の場合には、前記の情報センターデータベースより、当該地域の情報センターから得られる情報種別の概要が記された情報メニューを読み込み、ディスプレイ上に表示すると共に、ユーザにそれぞれの情報を取得するか否かを問い合わせる表示を行う（Ｓ１４）。ユーザは入力手段１７を介してそれぞれの情報の取得を行うか行わないを選択する（Ｓ１５）。いずれかの情報の取得を行う選択がなされた場合はＳ１６へ進み、すべての情報の取得を行わない選択がなされた場合はＳ１１へ戻る。なお、ユーザが一定時間、例えば１０秒間、全く選択を行わない場合には、すべての情報の取得を行わないものとしてＳ１１へ戻る。
【００５０】
以降の動作は、設定情報の更新を情報センターとの接続と情報種別の取得の双方について行うこと（Ｓ２０）以外は実施の形態１と同様である。
【００５１】
以上に説明したように、本実施の形態２においては、予め予定経路と情報種別を設定情報として設定しておくことにより、自動接続・自動取得に設定した情報種別については自動的に、また、自動接続・確認後取得に設定した情報種別については簡単な取得確認操作で、情報が得られる。また、予め設定情報を設定していない予定経路外の地域を走行する場合には、設定情報を設定していない場合と同じで、本実施の形態２の通信型ナビゲーション装置からの取得可能情報の情報メニューを選択するという、比較的容易な操作で所望の情報が取得できる。
【００５２】
なお、前記の設定情報の設定地域の数は任意でよい。また、設定地域としては、情報センターデータベース中の地域との対応を取ることができるものであればよく、特定の緯度と経度とその周辺地域、市区町村などの行政区域、一般地名地域、特定建物や名所旧跡などの周辺、または、道路や街道沿いの地域などとして設定することができる。また、地図上で位置を指定することにより設定することもできる。また、取得すべき情報種別の設定は、地域毎に、表２のような表の形式で設定することもできるし、フローチャートにおいて説明した設定情報の更新と同様の方法で、情報メニューを用いて設定することもできる。
【００５３】
なお、上記の実施の形態１および２において、地域毎にアクセスできる情報の取得源である情報センターや取得可能な情報の種別などが記録されている、本ナビゲーション装置内の情報センターデータベースを参照して、地域の情報センターと接続して情報を取得するものとして説明したが、複数の「情報サービスセンター」を総括管理する「情報サービス管理センター」または、「情報提供センター」などに問合せて、これらセンターが所有する最新の情報センターデータベースに基づいて情報センターに接続し、その情報センターの情報メニューによって情報取得することもできる。
【００５４】
また、前記のセンターが所有する最新の情報センターデータベースの情報の一部または全部を取得して、本ナビゲーション装置内の情報センターデータベースを更新することもできる。
【００５５】
また、上記の実施の形態１および２において、本ナビゲーション装置の現在位置において情報センターへのアクセス可能の判定を自らの情報センターデータベースを参照して行うことを説明したが、地域の情報提供センターの信号を受信することで行うこともできる。このことにより、地域の情報提供センターの起動で、情報取得を行うことが可能になる。
【００５６】
また、上記の実施の形態１および２において、本ナビゲーション装置の現在位置において地域の情報取得を行うことを説明したが、現在位置に代わって、特定の地点や目的地への経路の地域をユーザが指定することにより、指定した地域の情報取得を行うこともできる。
【００５７】
さらに、上記の実施の形態１および２において、自動車の走行に関連しない情報の表示を、ドライバ以外の同乗者がいない場合には、従来の技術を用いて、停車中にのみ行うことにより安全性の向上を図ることも可能である。
【００５８】
【発明の効果】
以上説明したように、本発明によれば、地域ごとにその地域において取得すべき情報の種別を設定情報として記憶しておくことにより、現在位置に応じて、設定した種別の情報を自動的に、または、簡単な操作で取得することができる、ユーザの利便性を向上した通信型ナビゲーション装置を提供することができるものである。
【図面の簡単な説明】
【図１】本発明における実施の形態１の通信型ナビゲーション装置の構成図
【図２】本発明における実施の形態１の通信型ナビゲーション装置の処理のフローチャート
【図３】本発明における実施の形態１の通信型ナビゲーション装置の画面例を示す図
【図４】本発明における実施の形態２の通信型ナビゲーション装置の処理のフローチャート
【図５】従来の通信型ナビゲーション装置の構成図
【図６】従来の通信型ナビゲーション装置の処理のフローチャート
【符号の説明】
１１  ＣＰＵ
１２  位置検出手段
１３  大容量記憶手段
１４  通信手段
１５  情報記憶手段
１６  表示手段
１７  入力手段
１８  設定情報記憶手段
【図１】
0004122654.tif 000004
【図２】
0004122654.tif 000005
【図３】
0004122654.tif 000006
【図４】
0004122654.tif 000007
【図５】
0004122654.tif 000008
【図６】
0004122654.tif 000009